(57)【特許請求の範囲】
【請求項１】
流水部材を保持する保持手段と、該保持手段を所定の高さ位置で固定する支持部材と、前記保持手段の高さ調整をするための高さ調整手段とを備えた排水管等の流水部材の固定用具において、前記高さ調整手段は、両側縁を波状にして支持部材に上下方向に形成される長孔と、該長孔及び前記保持手段のステーに挿通される軸と、該軸の一端側に回動自在に設けられ、カム機構を備えるレバーと、前記軸の他端側に設けられ、前記レバーを回動させると、そのカム機構により前記長孔に係脱自在に係合されるストッパー部材とを備えてなることを特徴とする排水管等の流水部材の固定用具。
【請求項２】
前記支持部材は一対設けられ、両方の支持部材は、互いの間隔が調整可能に構成されている請求項１に記載の排水管等の流水部材の固定用具。
【発明の詳細な説明】
【０００１】
【発明の属する技術分野】
本発明は、排水管等の流水部材の固定用具に関する。この固定用具は、例えば家庭内で発生する汚水が下水道の幹管に流れ込むように、排水管を傾斜させるために好適に用いられるものである。
【０００２】
【従来の技術】
従来、例えば家庭内で発生する汚水は、排水管を通って、下水道の幹管に流れ込む。排水管は、汚水が自重で流動するように、下水道に向かって傾斜させる必要がある。そこで、従来では、図１２（イ）及び（ロ）に示すような複数の排水管の固定用具を使用している。
【０００３】
前記固定用具５０は、コンクリート基礎４９等に固定されるベース５１と、該ベース５１に立設された一対のボルトからなる支柱５３と、両端部に形成された挿通孔が各支柱５３に挿通される上下一対のバンド体５５ａ，５５ｂと、両方のバンド体５５ａ，５５ｂを所定の高さ位置で固定すべく、各支柱５３に螺合された上下ナット体５６ａ，５６ｂから構成されている。そして、排水管６０をバンド体５５ａ，５５ｂで挟持するように、上下のナット体５６ａ，５６ｂで両方のバンド体５５ａ，５５ｂの両端部を共締め固定している。
【０００４】
【発明が解決しようとする課題】
前記複数の排水管支持具５０を使用して、例えば、排水管６０の長さ１．５ｍに対して約１５ｍｍの傾斜をつけるようにしている。従来の排水管支持具５０では、それぞれ異なる高さ調整が必要となるが、各排水管支持具５０は、４個のナット体５６ａ，５６ｂを回転させなければならず、使用する全ての排水管支持具の高さ調整を行うのが非常に面倒で、作業性が悪かった。
【０００５】
本発明は上記従来の課題を解決するためになされたものであり、排水管等の流水部材を容易且つ迅速に傾斜して固定させることができる排水管等の流水部材の固定用具を提供することを課題とする。
【０００６】
【課題を解決するための手段】
即ち、上記課題を解決するために本発明が採った手段は、流水部材を保持する保持手段と、該保持手段を所定の高さ位置で固定する支持部材と、前記保持手段の高さ調整をするための高さ調整手段とを備えた排水管等の流水部材の固定用具において、前記高さ調整手段は、両側縁を波状にして支持部材に上下方向に形成される長孔と、該長孔及び前記保持手段のステーに挿通される軸と、該軸の一端側に回動自在に設けられ、カム機構を備えるレバーと、前記軸の他端側に設けられ、前記レバーを回動させると、そのカム機構により前記長孔に係脱自在に係合されるストッパー部材とを備えてなることにある。
【０００７】
そして、本発明によれば、保持手段の高さ調整を容易且つ迅速に行える。
【０００８】
【発明の実施の形態】
以下に、図面を参照しながら、本発明の第一参考例を説明する。
図１〜図４は本発明の第一参考例を示し、本発明の固定用具は、流水部材として例えば円筒状の排水管１を保持する単体の保持手段３と、該保持手段３を所定の高さ位置で固定する一対の支持部材５ａ，５ｂと、保持手段３の高さ調整をするための高さ調整手段６と、両方の支持部材５ａ，５ｂが固定されるベース部材１７とを備えている。
【０００９】
前記保持手段３は、例えば帯状の金属製の板材をプレス加工等により形成したもので、例えば排水管１の外周面に沿うように湾曲した保持部７と、保持部７の両側から外側に屈曲されたガイド部８とからなる。保持部７の両側の中途部（保持部７に嵌合された排水管１の中心Ｏの延長線上には、逃がし凹部７ａ，７ｂが両外側に膨出形成され、各逃がし凹部７ａ，７ｂには、外側向きに係合部としてのボルト８ａ，８ｂが突設されている。
【００１０】
該保持部７の逃がし凹部７ａ，７ｂよりも先端側は、排水管１の中心Ｏよりも上方に突出させてバネ部１０を形成する。そして、かかるバネ部１０で排水管１を抱き抱えるようにして保持する。
【００１１】
各支持部材５ａ，５ｂは、断面形状がコの字状を呈し、例えば金属性の板材よりプレス加工されたもので、その長手方向に複数の被係合部としての係止孔１２ａ〜１２ｇが所定間隔をおいて形成されている本体部１３ａ，１３ｂと、該本体部１３ａ，１３ｂから外方向に屈曲した取付部１４ａ，１４ｂとからなる。また、他方の支持部材５ｂの取付部１４ｂは、互いの本体部１３ａ，１３ｂの間隔が調整できるように、コンクリート等の基礎１５側に固定されるベース部材１７にスライド自在になっている。具体的には、一方の支持部材５ａの取付部１４ａは、ピン１８ａによりベース部材１７に固定されているが、他方の支持部材５ｂの取付部１４ｂは、ベース部材１７に形成された長孔１９に挿通されたピン１８ｂによりスライド自在となっている。
【００１２】
前記複数の係止孔１２ａ〜１２ｇは前記本体部１３のボルトが選択的に挿通されるものであるが、各係止孔１２ａ〜１２ｇは断続的に独立して設けても、あるいは図３に示す如く小幅部１７ａを介して連続的（長孔状）に設けても良い。また、各係止孔１２ａ〜１２ｇに対応して下方から順に番号（例えば１〜７）が付されている。尚、前記ボルト（係合部）と係止孔（被係合部）により、前記高さ調整手段６が構成されている。
【００１３】
次に、前記固定用具を使用して排水管１を固定する場合について説明する。先ず、複数の固定用具のベース部材１７を所定の間隔をおいてコンクリート等の基礎１５にボルト２１ａ等で固定する。具体的には、ベース部材１７の一方をボルト２１ａで固定し、両方の支持部材５ａ，５ｂを立設させた状態にする。尚、他方の支持部材５ｂはスライド自在になっている。
【００１４】
更に、それぞれの両方の支持部材５ａ，５ｂの係止孔１２ａ〜１２ｇに保持手段３のボルト８ａ，８ｂをそれぞれ挿通させる。このボルト８ａ，８ｂの挿通に際しては、他方の支持部材５ｂがスライド自在なので簡単に行える。下水道側の固定用具は、排水管１を最も低く固定する必要があるため、その固定用具のボルト８ａ，８ｂは、例えば、最下段の係止孔１２ａ（番号１）に挿通する。
【００１５】
そして、排水管１が上流側向けて高く傾斜するように、それぞれの固定用具のボルト８ａ，８ｂを順次高い係止孔１２ｂ〜１２ｇに挿通する。各係止孔に対応した番号が付されているため、作業者は、その番号により各固定用具の所定高さの係止孔を認識することができ、所定の係止孔１２ａ〜１２ｇを容易に選択することができる。
【００１６】
所定高さの係止孔１２ａ〜１２ｇにボルト８ａ，８ｂをそれぞれ挿通した後に、そのボルト８ａ，８ｂにナット体２３をそれぞれ締結することにより、保持手段３を両方の支持部材５ａ，５ｂに固定すると共に、他方の支持部材５ｂの取付部１４ｂをボルト２１ｂでベース部材１７の他方と共に基礎１５に固定する。
【００１７】
このように複数の固定具を取り付けた後に、排水管１を各固定用具の保持部７に上方から押し込み、嵌合させて取り付ける。各保持部７のガイド部１０が保持部７のバネ部１０を外側に弾性変形させ、排水管１の嵌合が容易となるが、嵌合後はバネ部１０が排水管１を抱き抱えるようにして保持するため、排水管１は不用意に外れてしまうことはない。
【００１８】
尚、前記ナット体２３は、排水管１を保持部７に嵌合させてから、締結しても良い。ナット体２３の締結前は、保持手段３はボルト８ａ，８ｂを支点にして揺動自在であるため、保持手段３は、図４に示す如く、保持手段３を支持部材に対して、排水管１に沿って容易に傾斜させることができ、保持手段３で排水管１に傷つけるおそれもない。
【００１９】
また、前記保持手段３は、両側が接近する方向（幅方向）に弾性変形する場合には、両方の支持部材５ａ，５ｂを固定しておいて、該保持手段３の幅方向に変形させながら、両方のボルト８ａ，８ｂを所定の係止孔１２ａ〜１２ｇに挿通するようにしても良い。
【００２０】
図５〜図６は本発明の第二参考例を示す。尚、前記第一参考例と同一部材は同一符号を付してその説明は省略する。本参考例は、一方の支持部材５ａの取付部１４ａが、他方の支持部材５ｂ側に延設されている。そして、その一方の取付部１４ａに、他方の支持部材５ｂの取付部１４ｂがスライド自在に嵌合されている。また、一方の取付部１４ａが前記ベース部材１７の機能を有し、直接的に基礎１５にボルト２１ａ，２１ｂで固定されるようになっている。
【００２１】
図７及び図８は、本発明の第三参考例を示す。前記第一参考例と同一部材は同一符号を付してその説明は省略する。本発明の排水管固定用具は、保持手段３として排水管１を挟持する一対のバンド体３ａ，３ｂと、両方のバンド体３ａ，３ｂを支持する一対の支持部材５ａ，５ｂとを備えている。
【００２２】
前記各バンド体３ａ，３ｂは、例えば金属製の板材をプレス加工等により形成したもので、例えば円形の排水管１の外周面に沿うように湾曲した挟持部２５ａ，２５ｂと、挟持部２５ａ，２５ｂから屈曲された固定部２６ａ，２６ｂ，２７ａ ，２７ｂとからなる。下方のバンド体３ａの両方の固定部２７ａ ，２７ｂには、前記ボルト８ａ，８ｂが外側向きに突出固定されている。上方のバンド体３ｂの両方の固定部２６ａ，２６ｂには、図８（ロ）に示す如く、該ボルト８ａ，８ｂに上方から嵌合する切り欠き２９がそれぞれ形成されている。
【００２３】
次に、前記排水管固定用具を使用して排水管を固定する場合について説明する。先ず、一方の支持部材５ａを立設させる（ボルトで基礎１５に固定する。）と共に、下方のバンド体３ａの一方のボルト８ａを立設された支持部材５ａの所定の係止孔１２ａ〜１２ｇに挿通する。更に、下方のバンド体３ａの他方のボルト８ｂを他方の支持部材５ｂの所定の係止孔に挿通し、その他方の支持部材５ｂをボルト２１ａ，２１ｂで基礎１５に固定する。
【００２４】
尚、各ボルト８ａ，８ｂには、ボルトが支持部材から離脱しないように、ナット体２３を螺合させておくのが好ましい。その後、排水管１を下方のバンド体３ａに載置し、上方のバンド体３ｂの各固定部２６ａ，２６ｂ，の切り欠き２９を、上方からボルト８ａ，８ｂに嵌合させ、その後、ナット体２３を各ボルトに締結することにより作業を終了する。
【００２５】
図９及び図１０は、本発明の実施の形態を示す。本実施の形態は、単体の支持部材５によりステー３１を介して保持手段３を支持したものである。支持部材５はＬ字状を呈している。また、保持手段３の一方のバンド体３ａには、前記ステー３１の一端部３１ａが固定されている。ステー３１の他端部３１ｂには、軸３２が挿通されており、この軸３２の一端にはカム機構を備えた固定手段としてのレバー３３が回動自在に設けられている。
【００２６】
また、軸３２の他端側には、支持部材５に上下方向に形成された波状の長孔３５に係脱自在なストッパー部材３６が設けられ、前記レバー３３を回動させると、そのカム機構により、ストッパー部材３６を長孔３５に係脱自在に係合させることができる。尚、３７はストッパー部材３６を長孔３５から離脱させる方向に付勢するスプリングワッシャである。
【００２７】
両方のバンド体３ａ，３のそれぞれの一端は、互いに枢支連結されており、他方のバンド体３ｂは、この枢支部４０ａを支点にして開閉自在になっている。尚、他方のバンド体３ｂの閉止は、例えば、一方のバンド体３ａの他端を湾曲させて形成した係止部４０ｂにピン等を挿入することにより行える。前記軸３２、レバー３３、長孔３５、ストッパー部材３６及びスプリングワッシャ３７により高さ調整手段６が構成されている。前記レバー３３は、保持手段３側又はその反対側（外側）に設けても良い。
【００２８】
尚、参考例としては、上記の参考例に限定されるものではなく、図１１（イ）に示す如く係合部としてボルトの代りにピン４１を使用することも可能である。かかるピン４１は、一対の支持部材を備える前記第一実施の形態〜第三実施の形態に使用することができる。ピン４１は各支持部材５ａ，５ｂの係止孔に挿入するだけでよいので、更に作業性を向上することができる。
【００２９】
また、支持部材５に形成される被係合部の形状も、図１１（ロ）に示すように長孔４３連続する係止孔４４を複数形成したもので合っても良く、その他、孔に限らず係合部（ボルト等）８ａ，８ｂが係合する凹部であっても良く、特に限定されるものではない。
【００３０】
本発明としては、前記保持手段及び支持部材の材質は、金属に限定されるものではなく、その他、合成樹脂であっても良い。保持手段の形状も、排水管の外形に応じて任意の形状にすることも可能である。しかも、流水部材として筒状の排水管を例示したが、上面が開口する反割り状のものであっても良く、流水とは家庭用等の排水に限らず流水部材内を流れる液体をいう。
【００３１】
【発明の効果】
以上のように、本発明の高さ調整手段は、両側縁を波状にして支持部材に上下方向に形成される長孔と、該長孔及び前記保持手段のステーに挿通される軸と、該軸の一端側に回動自在に設けられ、カム機構を備えるレバーと、前記軸の他端側に設けられ、前記レバーを回動させると、そのカム機構により前記長孔に係脱自在に係合されるストッパー部材とを備えているので、従来のようにナット体を回転させる構成のものに比し、固定部材の高さ調整を容易且つ迅速に行え、排水管等の固定作業が簡単になり、作業性が向上する。
【図面の簡単な説明】
【図１】本発明の第一参考例を示す一部断面を含む全体正面図を示す。
【図２】同平面図を示す。
【図３】同一部断面を含む側面図を示す。
【図４】同排水管を保持した状態の一部断面を含む側面図を示す。
【図５】本発明の第二参考例を示す一部断面を含む全体正面図を示す。
【図６】同一部断面を含む平面図を示す。
【図７】本発明の第三参考例を示す一部断面を含む全体正面図を示す。
【図８】同（イ）は一部断面を含む平面図、（ロ）は保持手段の要部を示す一部断面を含む側面図を示す。
【図９】本発明の実施の形態の形態を示し、（イ）は全体正面図、（ロ）は全体側面図を示す。
【図１０】同バンド体を開放した状態の全体正面図を示す。
【図１１】（イ）は参考例の他の高さ調整手段の断面正面図、（ロ）は同断面側面図を示す。
【図１２】従来例を示し、（イ）はバンド体で排水管を固定した状態を示す断面正面図、（ロ）は同側面図を示す。
【符号の説明】
１…排水管（流水部材）、３…保持手段、３ａ，３ｂ…バンド体、５，５ａ，５ｂ…支持部材、６…高さ調整部材、８ａ，８ｂ…ボルト（係合部）、１２ａ〜１２ｇ…係止孔（被係合部）、４１…ピン（係合部）
【図１】
0003623757.tif 000002
【図２】
0003623757.tif 000003
【図３】
0003623757.tif 000004
【図４】
0003623757.tif 000005
【図５】
0003623757.tif 000006
【図６】
0003623757.tif 000007
【図７】
0003623757.tif 000008
【図８】
0003623757.tif 000009
【図９】
0003623757.tif 000010
【図１０】
0003623757.tif 000011
【図１１】
0003623757.tif 000012
【図１２】
0003623757.tif 000013